(57)【要約】【課題】電極部を有するカードを保持するカードコネクタの製造作業性を向上させて低コスト化に貢献できるようにする。【解決手段】複数の電極部を有するカードを保持し、所定面に複数平行配置された帯状開口部を有するケース部１００と、ケース部の所定面に装着され、複数の接点を平行に保持するベース部材１３０とを備え、ベース部材で保持された複数の接点のそれぞれを、ケース部の複数の帯状透孔部からカード保持部内に突出する構成のカードコネクタの製造方法に適用される。ベース部材１３０を樹脂成型する際に、複数の接点１４１，１４２が一体に接続された金属板を用意し、金属板を樹脂成型時に金型内に配置して一体に成型し、ベース部材に取付けて保持させた後、金属板の接点の接続部を切り離すことで、複数の接点がベース部材に個別に保持された状態とする。【選択図】図２
2008176991.tif 000002
【特許請求の範囲】
【請求項１】
複数の電極部を有するカードを保持し、所定面に複数平行に配置された帯状透孔部を有するケース部と、
前記ケース部の前記所定面に装着され、前記複数の接点を平行に保持するベース部材とを備え、
前記ベース部材を前記ケース部の所定面に装着することで、前記ベース部材で保持された複数の接点のそれぞれを、前記ケース部の複数の帯状開口部からカード保持部内に突出する構成としたカードコネクタの製造方法であって、
前記複数の接点が一体に接続された金属板を用意し、
前記ベース部材を樹脂成型する際に、前記金属板を前記樹脂成型時に金型内に配置して一体に成型するアウトサート成型を行うことで、前記ベース部材に前記金属板を保持させた後、前記金属板の接点の接続部を切り離すことで、複数の接点が前記ベース部材に個別に保持された状態とすることを特徴とする
カードコネクタの製造方法。
【請求項２】
請求項１記載のカードコネクタの製造方法において、
前記樹脂成型時に金型内に配置される金属板は、前記複数の接点の形状が形成されるように一部を抜き落として形成してあると共に、その形成されたそれぞれの接点が、前記カード保持部内に突出するように曲げてあることを特徴とする
カードコネクタの製造方法。
【請求項３】
請求項１記載のカードコネクタの製造方法において、
前記金属板の接点の接続部を切り離す際に、前記ベース部材から突出した前記接点の端部を折り曲げ、その折り曲げられた端部を、コネクタの外部接続端子部としたことを特徴とする
カードコネクタの製造方法。
【発明の詳細な説明】
【技術分野】
【０００１】
本発明は、例えばＩＣチップ用の電極が表面に配置されたカードを保持して、そのカードの電極と電気的に接続される接点を備えたカードコネクタの製造方法に関する。
【背景技術】
【０００２】
従来、ＩＣチップが内蔵されたいわゆるＩＣカードを、各種電子機器内で保持させることが多々ある。例えば、デジタル放送を受信して受像又は録画するテレビジョン受像機やレコーダ、或いはそれらの放送を受信する単体のチューナ装置においては、Ｂ−ＣＡＳカード（BS-Conditional Access Systems Card）と称されるＩＣカードを装着する構成としてある。そのＩＣカードには、受信した放送データの暗号化を解除するための鍵データなどが記憶させてあり、ＩＣカードに記憶されたデータを装置側が読み出して、デジタル放送データの復号化処理に使用する構成としてある。
【０００３】
このＩＣカードに記憶されたデータを装置側が読み出すために、ＩＣカードを保持するホルダ部をカードコネクタとして構成する必要がある。そのカードコネクタとしての構成としては、ＩＣカード表面に設けられた電極と接触する接点を配置し、その接点を装置側のカード読み取り回路側と接続させる構成とする。
【０００４】
図７〜図９は、従来のこの種のＩＣカードのコネクタの一例を示したものである。図７に示すように、カードコネクタ１０は、それぞれが樹脂で成形された上面部１１と底面部１２とを接合した構成とされる。図８は、上面部１１と底面部１２とを分離して示した分解図である。図７に示したように上面部１１と底面部１２とを接合することで、１つの面（図７での手前側の面）がカード挿入口１３となり、他の３面は囲われた状態となっている。この例では、上面部１１と底面部１２とは、図８に示すように、上面部１１の周囲に所定間隔で設けた突起１１ａを、底面部１２の孔１２ａに挿入することで接合される構成としてある。
【０００５】
そして、底面部１２側には、複数の平行な溝１２ａを配置する。図８の例では、手前側に４本の溝１２ａを配置すると共に、奥側にも４本の溝１２ａを配置してあり、合計で８本の溝１２ａを設けた構成としてある。そして、それぞれの溝１２ａには、帯状の金属板で構成される接点部材１４を嵌めてある。それぞれの接点部材１４は、一端部を凸状に突出させた突出部１４ａとしてあり、接点部材１４を溝１２ａに嵌めたとき、突出部１４ａが溝１２ａから上面側に突出した位置となる構成としてある。各接点部材１４の他端側（外側）は、下側に折り曲げてあり、装置側のカード読み取り回路側とハンダ付けなどで電気的に接続される。
【０００６】
また、底面部１２の奥側の接点部材１４の配置位置の脇には、カードの挿入を検出する接点として機能する挿入検出接点１５が配置してある。
【０００７】
このように構成されるカードコネクタ１０によると、例えば図９に示すように、ＩＣカード９０をカード挿入口１３から挿入させることで、そのＩＣカード９０の裏面に配置された複数の電極９２のそれぞれが、底面部１２の複数の接点部材１４の突出部１４ａと個別に接触し、各電極９２と各接点１４とが電気的に導通状態となる。従って、接点部材１４に接続された回路で、ＩＣカード９０内のＩＣチップに記憶されたデータを読み出すことが可能となる。なお、ＩＣカード９０をカードコネクタ１０に完全に挿入した状態では、ＩＣカード９０の端面９１が、図８に示した挿入検出接点１５を押し込む状態となる。このことで、挿入検出接点１５と接触した別の接点が、挿入検出接点１５から離れて、カードの挿入を検出することができる。また、このカードコネクタ１０は、ＩＣカード９０を保持した状態では、ＩＣカード９０の一部（図９での手前側）は、カードコネクタ９０から外側に露出したままの状態である。
【０００８】
特許文献１には、この種の接点を備えたカードコネクタの一例についての開示がある。
【特許文献１】特開２００６−３２４０４３号公報
【発明の開示】
【発明が解決しようとする課題】
【０００９】
ところで、従来のこの種のカードコネクタを製作する際には、それぞれの接点１４を構成する部材を底面部１２の溝１２ｂに嵌める作業が必要であり、非常に手間がかかり、作業性が悪いという問題があった。
即ち、図８に示したように、手前側の４本の接点部材１４については、それぞれの接点を構成する部材を、矢印Ａで示す方向で溝１２ｂに挿入させる作業を行って、溝１２ｂに嵌める作業を行う必要がある。奥側の４本の接点部材１４についても、それとは反対側の矢印Ｂで示す方向で溝１２ｂに挿入させる作業を行って、溝１２ｂに嵌める作業を行う必要がある。
【００１０】
例えは上述したＢ−ＣＡＳカードの場合、４本の接点を並べる間隔は非常に狭く、細い接点を間隔の狭い溝に嵌める作業を行うことは、容易ではなく、組立ての作業性が悪い問題があった。特に、カードコネクタとして有効に機能させるためには、各接点部材１４の突出部１４ａの内部への突出量を適正に設定する必要があり、溝に接点部材を挿入する作業時には、そのための調整なども必要であり、非常に作業性が悪く、組立てに要するコストが増大するなどの問題があった。
【００１１】
本発明はかかる点に鑑みてなされたものであり、この種のカードコネクタの製造作業性を向上させて低コスト化に貢献できる構成とすることを目的とする。
【課題を解決するための手段】
【００１２】
本発明のカードコネクタの製造方法は、複数の電極部を有するカードを保持し、所定面に複数平行に配置された帯状開口部を有するケース部と、ケース部の所定面に装着され、複数の接点を平行に保持するベース部材とを備え、ベース部材をケース部の所定面に装着することで、ベース部材で保持された複数の接点のそれぞれを、ケース部の複数の帯状透孔部からカード保持部内に突出する構成としたカードコネクタの製造方法に適用される。
そして、複数の接点が一体に接続された金属板を用意し、ベース部材を樹脂成型する際に、金属板を樹脂成型時に金型内に配置して一体に成型するアウトサート成型を行い、ベース部材に金属板を保持させた後、金属板の接点の接続部を切り離すことで、複数の接点がベース部材に個別に保持された状態とする。
【発明の効果】
【００１３】
本発明によると、ベース部を樹脂成型する際に、複数の接点が一体に接続された金属板を用意し、その金属板をベース部材の樹脂成型時に一体に取付けてベース部材に保持させた後、金属板の接点の接続部を切り離すことで、複数の接点がベース部材に個別に保持された状態とすることで、それぞれの接点を個別に取り付け作業を行う必要のない、非常に作業性のよい組立て工程で簡単にカードコネクタを製造することができ、カードコネクタの製造コストの低減に貢献する。
【００１４】
この場合、樹脂成型時に金型内に配置される金属板は、複数の接点の形状が形成されるように一部を抜き落として形成してあると共に、その形成されたそれぞれの接点が、カード保持部内に突出するように曲げてあることで、ケース部の複数の帯状透孔部からカード保持部内に接点を突出させるための加工を、組み立て時に行う必要がなくなり、より簡単に組み立てができるようになる。
【００１５】
また、金属板の接点の接続部を切り離す際に、ベース部材から突出した接点の端部を折り曲げ、その折り曲げられた端部を、コネクタの外部接続端子部としたことで、コネクタの外部接続端子部の形成を、金属板の切り離しと同じ工程でできるようになり、この点からもより簡単に組み立てができるようになる。
【発明を実施するための最良の形態】
【００１６】
以下、本発明の一実施の形態を、図１〜図６を参照して説明する。
【００１７】
本実施の形態の例においては、ＩＣチップを内蔵したＩＣカードの表面（裏面）に配置された電極部と接続させるカードコネクタとして構成したものである。カードコネクタは、そのＩＣカードの装着が必要な電子機器に内蔵されるものである。ここでは、ＩＣカードとしてデジタル放送受信用のＢ−ＣＡＳカードを使用した例としてある。即ち図９に示した複数（ここでは８個）の電極部９２が配置されたＩＣカード９０が挿入されるカードコネクタとしてある。この例では、電極部９２がある面を裏面側にして、カードコネクタに挿入させる。カードコネクタが内蔵される（取付けられる）電子機器としては、例えばテレビジョン受像機などの、デジタル放送受信チューナを内蔵した映像機器への適用を想定している。ＩＣカードが挿入された状態で、そのカードの一部が外側に露出する点も図９の例と同じである。
【００１８】
図１は、本実施の形態の例によるカードコネクタを一部破断して示す斜視図であり、図２は、分解して示す分解斜視図である。本実施の形態によるカードコネクタは、カードコネクタ１００が、そのコネクタ本体を構成するケース部として構成してある。以下の説明では、コネクタ本体１００をケース部１００として説明する。ケース部１００は、合成樹脂で一体に成型させた構成としてあり、挿入されたＩＣカードを保持するホルダとして機能する。
【００１９】
図１に示すように、ケース部１００は、上面部１１０と底面部１２０とを有する。上面部１１０と底面部１２０とは、左右の壁部１０２と奥側の壁部１０３との３辺で接続する構成としてあり、手前側の１辺を開口させてカード挿入口１０１としてある。図１や図２では、壁部１０２及び１０３の途中で破断して示した図としてあり、上面部１１０は仮想線で示してある。底面部１２０の下側には、所定間隔で複数個の爪部１０４が形成させてあり、この爪部１０４を使用して、カードコネクタを内蔵する電子機器側の所定箇所に取付けられる。
【００２０】
図２に示すように、底面部１２０は、中央の手前側に開口部１２１を有し、中央の奥側に開口部１２２を有する形状としてある。さらに、左右に開口部１２３及び１２４を有する。中央手前の開口部１２１と中央奥の開口部１２２は、それぞれ帯状の開口部（溝部）が平行に所定長で４本連続して配置された帯状開口部１２１ａ，１２２ａを設けてある。開口部１２１側の帯状開口部１２１ａと、開口部１２２側の帯状開口部１２２ａとは、対向する状態で配置してある。各帯状開口部１２１ａ，１２２ａを構成する溝の奥には、係止部１２１ｂ，１２２ｂが構成させてある。この係止部１２１ｂ，１２２ｂは、樹脂の肉厚を薄くさせて構成してあり、後述する接点部材１４１，１４２の端部が係止されるためのものである。底面部１２０の開口部１２１と開口部１２２の配置位置の下面の周囲には、所定間隔をあけて孔１２５が配置してある。この孔１２５は次に説明するベース部材１３０を取付けるためのものである。
【００２１】
底面部１２０の開口部１２１，１２２を形成させた箇所には、底面側からベース部材１３０が取付けられる。図１はベース部材１３０が取付けられた状態を示し、図２はベース部材１３０を外した状態で示してある。ベース部材１３０は、図２に示すように、複数の接点部材１４１，１４２を保持した部材である。それぞれの接点部材１４１，１４２は、弾性を有する金属で構成させてあり、４本の接点部材１４１を平行に配置してあり、さらにその４本の接点部材１４１と対向する状態で、４本の接点部材１４２を平行に配置してある。この接点部材１４１，１４２を保持するために、ベース部材１３０は四角の枠状に合成樹脂で成型させた構成としてある。四角の枠状のベース部材１３０の周辺部の上面には、所定間隔で複数の突起部１３３を一体に樹脂成型させてある。この突起部１３３は、ケース部材１００の底面部１２０側の孔１２５の配置位置に対応した位置としてあり、突起部１３３を孔１２５に挿入させることで、ベース部材１３０が底面部１２０の下側に取付けられる。
【００２２】
各接点部材１４１，１４２の構成と保持状態について説明すると、図２に示すように、手前側の４本の接点部材１４１を、ベース部材１３０の前端部１３１で保持し、奥側の４本の接点部材１４２を、ベース部材１３０の後端部１３２で保持する。各接点部材１４１，１４２は、ベース部材１３０で保持された箇所である前端部１３１及び後端部１３２から上方に曲げられた状態で保持されており、その先端部は上側に若干突出した形状に曲げられた突出部１４１ａ及び１４２ａとして構成してある。
【００２３】
前端部１３１で保持された手前側の４本の接点部材１４１は、突出部１４１ａが設けられた側とは反対側の端部が前端部１３１から手前側に突出した状態で保持されるようにしてあり、その手前側に突出した接点部材１４１が下側に折り曲げられて、外部接続部１４１ｂとなっている。同様に、後端部１３２で保持された奥側の４本の接点部材１４２についても、突出部１４２ａが設けられた側とは反対側の端部が後端部１３２から奥側に突出した状態で保持されるようにしてあり、その奥側に突出した接点部材１４２が下側に折り曲げられて、外部接続部１４２ｂとなっている。図２では外部接続部１４２ｂは隠れた位置となっており、図示していない（外部接続部１４２ｂは図６などに図示）。
【００２４】
また、ベース部材１３０の後端部１３２の脇には、金属板で構成される挿入検出接点１５１が配置してある。この挿入検出接点１５１は、コイル状のバネ１５２により上側に押された状態で配置してある。この挿入検出接点１５１は、カードコネクタとして組立てられた状態では、カードが挿入されたとき、そのカードの縁と接触してバネ１５２の力に抗して下側に位置が動き、図示しない別の接点と接触した状態から非接触状態に変化し、カードの挿入を電気的に検出できる構成としてある。
【００２５】
このように接点部材１４１，１４２などが保持されたベース部材１３０は、図１に示すように、ケース部１００の底面部１２０に取付けられることで、４本の接点部材１４１のそれぞれが、開口部１２１の帯状開口部１２１ａの設置位置に配置されるようになり、先端の突出部１４１ａが底面部１２０から上側に突出するようなる。４本の接点部材１４２のそれぞれについても、開口部１２２の帯状開口部１２２ａの設置位置に配置されるようになり、先端の突出部１４２ａが底面部１２０から上側に突出するようなる。接点部材１４１，４１２の突出状態については、図６の説明時に後述する。
【００２６】
次に、図３〜図５を参照して、ベース部材１３０で接点部材１４１，１４２を保持させる工程について説明する。本例においては、接点部材１４１，１４２は、図４に示した如き１枚の金属プレス部材１４０を使用して構成させるようにしてある。図４（ａ）は、金属プレス部材１４０を平面で示した図であり、図４（ｂ）は、金属プレス部材１４０を側面で示した図である。
【００２７】
金属プレス部材１４０は、プレス加工により金属板の一部を抜き落として複数の接点部材１４１，１４２を形成させてあると共に、外周部１４３でそれぞれの接点部材１４１，１４２が連結された状態とされた部材である。また、図４（ｂ）に示すように、外周部１４３が取付けられた状態で各接点部材１４１，１４２の突出部１４１ａ，１４２ａが上側に突出するように曲げられた状態となるように、上述した抜き落としと同時にプレス加工で施してある。
【００２８】
そして、ベース部材１３０を、金型を使用して樹脂成型する際には、この図４に示した形状の金属プレス部材１４０を用意して、樹脂成型用の金型内に予め配置した状態で、金型内に樹脂を注入してベース部材１３０を成型する、いわゆるアウトサート成型を行う。
図３は、このアウトサート成型を行った状態を示した図である。この図３に示したアウトサート成型を行った状態では、金属プレス部材１４０の外周部１４３が取付けられた状態であり、接点部材１４１，１４２の外部接続部１４１ｂ，１４２ｂが、外周部１４３で一体に接続されている。なお、図５は図３のＶ−Ｖ線に沿う断面図である。
【００２９】
この図３に示した状態で、各接点部材１４１の外部接続部１４１ｂを下側に折り曲げると同時に、外周部１４３を切り離す作業を行う。各接点部材１４２の外部接続部１４２ｂについても、下側に折り曲げると同時に、外周部１４３を切り離す作業を行う。外部接続部１４１ｂ及び１４２ｂは、ハンダ付けなどでリード線などが接続されるコネクタの外部接続端子部である。このように外周部１４３を切り離す作業を行い、さらに挿入検出接点１５１やバネ１５２を取付ける作業を行うことで、図２に示すベース部材１３０として完成する。なお、ベース部材１３０から外周部１４３を切り離す際には、ベース部材１３０の外側に露出した部分だけを切り離すものであり、ベース部材１３０を構成する樹脂で覆われた部分はそのまま残すようにしてある。
【００３０】
図６は、ベース部材１３０がケース部１００に取付けられた状態で、接点部材１４１，１４２が配置される状態を断面で示した図である。この図６に示すように、接点部材１４１，１４２の突出部１４１ａ，１４２ａ側が、ケース部１００の底面１２０から上側に突出する。ここで、各接点部材１４１，１４２の先端が係止部１２１ｂ，１２２ｂに係合するので、接点部材１４１，１４２の突出部１４１ａ，１４２ａの内部での突出量は一定の状態となる。底面１２０と上面１１０との間に挿入されたＩＣカード（図示せず）の複数の電極部が、それぞれの接点部材１４１，１４２の突出部１４１ａ，１４２ａと個別に接触するようになる。従って、各接点部材１４１，１４２の外部接続部１４１ｂ，１４２ｂに、電子機器側のＩＣカード読み取り回路（又は書き込み回路）が接続してあることで、その挿入されたＩＣカードに内蔵されたＩＣチップの記憶情報を読み取ることができ、或いは情報を書き込むことができる。従って、本例のカードコネクタは、ＩＣカード用のコネクタとして有効に機能する。
【００３１】
ここで、本実施の形態によるカードコネクタは、ＩＣカード側の８個の電極部と個別に接触させるために、８本の接点を必要とする構成であるが、その８本の接点を配置するための組立て作業が簡単に行える。即ち、各接点部材１４１，１４２は、図４に示した如き１枚の金属プレス部材１４０をアウトサート成型でベース部材１３０に保持させる構成としたことで、複数の各接点部材１４１，１４２を一括してベース部材１３０に保持させる作業が可能になり、組立て時の作業性が向上する。そして、ベース部材１３０に保持させた後は、その接点部材１４１，１４２が保持されたベース部材１３０を、ケース部１００の底面１２０に取付けるだけで組立てが完了し、非常に簡単に組立て作業が行える。組立てられた状態では、それぞれの接点部材１４１，１４２は、平行に配置された帯状開口部１２１ａ，１２２ａ内に収まり、その帯状開口部１２１ａ，１２２ａの壁部で、隣接する接点部材との接触が防止される状態となり、従来の溝の内部に接点を配置した構成の場合と同様の機能を有する構成となる。
【００３２】
このように組立てられることで、従来のカードコネクタで説明したような、それぞれの接点部材を細い溝に嵌める面倒な作業が必要なく、組立て作業性が従来よりも大幅に向上し、カードコネクタの製造コストの低減に貢献する。
【００３３】
また、ケース部１００の底面部１２０の帯状開口部１２１ａ，１２２ａには、接点のカード保持部内への突出量を制限する係止部１２１ｂ，１２２ｂを設けたことで、ベース部材１３０を下側からケース部１００に取付ける装着作業を行うだけでさせるだけで、カード保持部であるケース部１００内への接点部材１４１，１４２の突出量が一定に定まり、組立て時の接点に関する調整が必要なくなり、この点からも組立て作業性が向上する。
【００３４】
なお、ここまで説明した実施の形態では、Ｂ−ＣＡＳカード用のコネクタとして構成させた例について説明したが、その他の電極部を有する各種カード用のコネクタに適用してもよい。接点部材の配置本数や配置位置は、収納するカードの構成に応じて適宜選定すればよい。
【図面の簡単な説明】
【００３５】
【図１】本発明の一実施の形態によるカードコネクタの構成例を一部破断して示す斜視図である。
【図２】図１例を分解して示す分解斜視図である。
【図３】本発明の一実施の形態によるベース部材の構成例（金属プレス部材の切断前）を示す斜視図である。
【図４】本発明の一実施の形態による金属プレス部材の例を示し、（ａ）は平面図、（ｂ）は側面図である。
【図５】図４のＶ−Ｖ線に沿う断面図である。
【図６】本発明の一実施の形態によるベース部材がケース部に取り付けられた状態を一部断面で示す説明図である。
【図７】従来のカードコネクタの一例を示す斜視図である。
【図８】図７例のカードコネクタの分解斜視図である。
【図９】図７例のカードコネクタにカードを挿入した状態の例を示す説明図である。
【符号の説明】
【００３６】
１００…カードコネクタ（ケース部）、１０１…カード挿入口、１０２，１０３…壁部、１０４…爪部、１１０…上面部、１２０…底面部、１２１，１２２，１２３，１２４…開口部、１２１ａ，１２２ａ…帯状開口部、１２１ｂ，１２２ｂ…係止部、１２５…孔、１３０…ベース部材、１３１…前端部、１３２…後端部、１３３…突起部、１４０…金属プレス部材、１４１，１４２…接点部材、１４１ａ，１４２ａ…突出部、１４１ｂ，１４２ｂ…外部接続部、１４３…外周部、１５１…挿入検出接点、１５２…バネ
【図１】
2008176991.tif 000003
【図２】
2008176991.tif 000004
【図３】
2008176991.tif 000005
【図４】
2008176991.tif 000006
【図５】
2008176991.tif 000007
【図６】
2008176991.tif 000008
【図７】
2008176991.tif 000009
【図８】
2008176991.tif 000010
【図９】
2008176991.tif 000011
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
複数の電極部をカードの表面に有するカードを保持し、前記カードの表面と接する所定面に複数平行に配置された帯状透孔部を有するケース部と、
前記ケース部の前記所定面に装着され、前記複数の接点を平行に保持する枠形状のベース部材とを備え、
前記ベース部材を前記ケース部の所定面に装着することで、前記ベース部材で保持された複数の接点のそれぞれを、前記ケース部の複数の帯状透孔部からカード保持部内に突出する構成としたカードコネクタの製造方法であって、
前記複数の接点が一体に接続された金属板を用意し、
前記ベース部材を樹脂成型する際に、前記金属板を前記樹脂成型時に金型内に配置して一体に成型するアウトサート成型を行うことで、枠形状の前記ベース部材に前記金属板を保持させた後、前記金属板の接点の接続部を切り離すことで、複数の接点が前記ベース部材の枠で囲まれた中に個別に保持された状態とし、
前記樹脂成型時に金型内に配置される金属板は、前記複数の接点が形成されるように一部を抜き落として形成してあると共に、その形成されたそれぞれの接点が、前記カード保持部内に突出するように曲げてあり、
前記所定面と直交する方向から、前記枠形状のベース部材を前記ケース部の所定面に装着することで、前記突出した接点の先端が、前記ケース部側の係止部により規制されて、前記接点の前記カード保持部内への突出量を一定とすることを特徴とする
カードコネクタの製造方法。
【請求項２】
請求項１記載のカードコネクタの製造方法において、
前記金属板の接点の接続部を切り離す際に、前記枠形状のベース部材から突出した前記接点の端部を折り曲げ、その折り曲げられた端部を、コネクタの外部接続端子部としたことを特徴とする
カードコネクタの製造方法。
【手続補正２】
【補正対象書類名】明細書
【補正対象項目名】０００５
【補正方法】変更
【補正の内容】
【０００５】
そして、底面部１２側には、複数の平行な溝１２ｂを配置する。図８の例では、手前側に４本の溝１２ｂを配置すると共に、奥側にも４本の溝１２ｂを配置してあり、合計で８本の溝１２ｂを設けた構成としてある。そして、それぞれの溝１２ｂには、帯状の金属板で構成される接点部材１４を嵌めてある。それぞれの接点部材１４は、一端部を凸状に突出させた突出部１４ａとしてあり、接点部材１４を溝１２ｂに嵌めたとき、突出部１４ａが溝１２ｂから上面側に突出した位置となる構成としてある。各接点部材１４の他端側（外側）は、下側に折り曲げてあり、装置側のカード読み取り回路側とハンダ付けなどで電気的に接続される。
【手続補正３】
【補正対象書類名】明細書
【補正対象項目名】００１２
【補正方法】変更
【補正の内容】
【００１２】
本発明のカードコネクタの製造方法は、複数の電極部をカードの表面に有するカードを保持し、カードの表面と接する所定面に複数平行に配置された帯状透孔部を有するケース部と、ケース部の所定面に装着され、複数の接点を平行に保持する枠形状のベース部材とを備え、ベース部材をケース部の所定面に装着することで、ベース部材で保持された複数の接点のそれぞれを、ケース部の複数の帯状透孔部からカード保持部内に突出する構成としたカードコネクタの製造方法に適用される。
そして、複数の接点が一体に接続された金属板を用意し、ベース部材を樹脂成型する際に、金属板を樹脂成型時に金型内に配置して一体に成型するアウトサート成型を行い、枠形状のベース部材に金属板を保持させた後、金属板の接点の接続部を切り離すことで、複数の接点がベース部材の枠で囲まれた中に個別に保持された状態とする。そして、樹脂成型時に金型内に配置される金属板は、複数の接点が形成されるように一部を抜き落として形成してあると共に、その形成されたそれぞれの接点が、カード保持部内に突出するように曲げてあり、前記所定面と直交する方向から、枠形状のベース部材をケース部の所定面に装着することで、突出した接点の先端が、ケース部側の係止部により規制されて、接点のカード保持部内への突出量を一定とする。
【手続補正４】
【補正対象書類名】明細書
【補正対象項目名】００２５
【補正方法】変更
【補正の内容】
【００２５】
このように接点部材１４１，１４２などが保持されたベース部材１３０は、図１に示すように、ケース部１００の底面部１２０に取付けられることで、４本の接点部材１４１のそれぞれが、開口部１２１の帯状開口部１２１ａの設置位置に配置されるようになり、先端の突出部１４１ａが底面部１２０から上側に突出するようなる。４本の接点部材１４２のそれぞれについても、開口部１２２の帯状開口部１２２ａの設置位置に配置されるようになり、先端の突出部１４２ａが底面部１２０から上側に突出するようなる。接点部材１４１，１４２の突出状態については、図６の説明時に後述する。
【手続補正５】
【補正対象書類名】明細書
【補正対象項目名】００３３
【補正方法】変更
【補正の内容】
【００３３】
また、ケース部１００の底面部１２０の帯状開口部１２１ａ，１２２ａには、接点のカード保持部内への突出量を制限する係止部１２１ｂ，１２２ｂを設けたことで、ベース部材１３０を下側からケース部１００に取付ける装着作業を行うだけで、カード保持部であるケース部１００内への接点部材１４１，１４２の突出量が一定に定まり、組立て時の接点に関する調整が必要なくなり、この点からも組立て作業性が向上する。
【手続補正６】
【補正対象書類名】明細書
【補正対象項目名】００３５
【補正方法】変更
【補正の内容】
【００３５】
【図１】本発明の一実施の形態によるカードコネクタの構成例を一部破断して示す斜視図である。
【図２】図１例を分解して示す分解斜視図である。
【図３】本発明の一実施の形態によるベース部材の構成例（金属プレス部材の切断前）を示す斜視図である。
【図４】本発明の一実施の形態による金属プレス部材の例を示し、（ａ）は平面図、（ｂ）は側面図である。
【図５】図３のＶ−Ｖ線に沿う断面図である。
【図６】本発明の一実施の形態によるベース部材がケース部に取り付けられた状態を一部断面で示す説明図である。
【図７】従来のカードコネクタの一例を示す斜視図である。
【図８】図７例のカードコネクタの分解斜視図である。
【図９】図７例のカードコネクタにカードを挿入した状態の例を示す説明図である。